(57)【要約】【課題】本発明は、電池電圧に応じて送信パワー出力を制御できる携帯電話機、送信パワー出力制御方法及びプログラムを提供する。【解決手段】この携帯電話機は、電源用の電池１と、所定の送信パワーを生成し送信出力する送信部６と、送信パワーレベル毎に規格化された送信パワー許容範囲内において、電池１から供給される電池電圧に応じた所望の送信パワーを送信部６から出力するように制御する制御部３とを有する。制御部３は、電池１から供給される電池電圧を検出する電池電圧検出部７と、電池電圧検出部７によって検出された電池電圧に応じた所望の送信パワーを設定するための基準電圧を出力する送信パワー設定基準電圧発生部８と、送信部６から出力している送信パワーを検出し、その検出結果に基づいて、送信パワー設定基準電圧発生部８から出力された基準電圧に応じた所望の送信パワーを出力するように送信部６を制御するＡＬＣ部９とを有する【選択図】　図１
2004056399.tif 000002
【特許請求の範囲】
【請求項１】
電源用の電池と、
所定の送信パワーを生成し送信出力する送信部と、
送信パワーレベル毎に規格化された送信パワー許容範囲内において、前記電池から供給される電池電圧に応じた所望の送信パワーを前記送信部から出力するように制御する制御部と、
を有することを特徴とする携帯電話機。
【請求項２】
前記制御部は、
前記電池から供給される電池電圧を検出する電池電圧検出部と、
前記電池電圧検出部によって検出された電池電圧に応じた所望の送信パワーを設定するための基準電圧を出力する送信パワー設定基準電圧発生部と、
前記送信部から出力している送信パワーを検出し、その検出結果に基づいて、前記送信パワー設定基準電圧発生部から出力された基準電圧に応じた所望の送信パワーを出力するように前記送信部を制御する送信パワー制御部と、
を有することを特徴とする請求項１に記載の携帯電話機。
【請求項３】
前記送信パワー制御部は、前記送信部に制御電圧を供給することにより、前記送信部から出力される送信パワーを制御することを特徴とする請求項２に記載の携帯電話機。
【請求項４】
電池電圧に応じた所望の送信パワーの特性を記憶する記憶部を有し、
前記送信パワー設定基準電圧発生部は、前記記憶部から電池電圧に応じた所望の送信パワーを読み出して基準電圧を出力する、
ことを特徴とする請求項２又は３に記載の携帯電話機。
【請求項５】
前記記憶部に記憶されている電池電圧に応じた所望の送信パワーの特性は、電池電圧が減少するに従って所望の送信パワーが減少するものであることを特徴とする請求項４に記載の携帯電話機。
【請求項６】
電池電圧と所望の送信パワーとが比例関係にあることを特徴とする請求項５に記載の携帯電話機。
【請求項７】
電源用の電池と、所定の送信パワーを生成し送信出力する送信部とを有する携帯電話機の送信パワー出力制御方法であって、
送信パワーレベル毎に規格化された送信パワー許容範囲内において、前記電池から供給される電池電圧に応じた所望の送信パワーを前記送信部から出力するように制御することを特徴とする送信パワー出力制御方法。
【請求項８】
前記電池から供給される電池電圧を検出するステップと、
前記検出された電池電圧に応じた所望の送信パワーを設定するための基準電圧を出力するステップと、
前記送信部から出力している送信パワーを検出し、その検出結果に基づいて、前記出力された基準電圧に応じた所望の送信パワーを出力するように前記送信部を制御するステップと、
を有することを特徴とする請求項７に記載の送信パワー出力制御方法。
【請求項９】
電源用の電池と、所定の送信パワーを生成し送信出力する送信部とを有する携帯電話機を制御するプログラムであって、
送信パワーレベル毎に規格化された送信パワー許容範囲内において、前記電池から供給される電池電圧に応じた所望の送信パワーを前記送信部から出力するように制御する処理を、コンピュータに実行させることを特徴とするプログラム。
【請求項１０】
前記電池から供給される電池電圧を検出する処理と、
前記検出された電池電圧に応じた所望の送信パワーを設定するための基準電圧を出力する処理と、
前記送信部から出力している送信パワーを検出し、その検出結果に基づいて、前記出力された基準電圧に応じた所望の送信パワーを出力するように前記送信部を制御する処理と、
をコンピュータに実行させることを特徴とする請求項９に記載のプログラム。
【発明の詳細な説明】
【０００１】
【発明の属する技術分野】
本発明は、携帯電話機、送信パワー出力制御方法及びプログラムに関し、特に、電池電圧に応じて送信パワー出力を制御できる携帯電話機、送信パワー出力制御方法及びプログラムに関する。
【０００２】
【従来の技術】
一般に、携帯電話機の駆動電源としては電池（充電電池など）が用いられている。近年、メール機能、カメラ機能など多機能の携帯電話機が出現しているが、このような多機能化に伴い、電池の消費電力が大きくなるという問題がある。
【０００３】
そこで、例えば、特開２００１−１８６２５１号公報には、複数の機能を有した携帯情報端末装置であって、機能を実現する複数の機能処理部に対して電力を供給する電池と、電池の電池残量を検出して出力する電池残量検出部と、各機能毎に予め決められた電力供給制限値のそれぞれと電池残量とを比較して、各機能の電池供給制限値が電池残量を下回っている場合に、該当する機能処理部に対する電力供給を停止するか、または警告を発する供給電力制御部とを備えた携帯情報端末装置が開示されている（以下、この技術を従来例という）。
【０００４】
この従来例の携帯情報端末装置によれば、電池残量に応じて各機能毎の使用を制限することができる、としている。
【０００５】
【発明が解決しようとする課題】
従来例では、各ユーザの使用環境や嗜好に合わせ、電池残量に応じて各機能の使用を制限することにより、電池の電力供給を制限している。しかし、電池電圧に応じて送信パワー出力を制御することにより、限られた電池容量、消費電流のなかで、通話時間をできるだけ長くするための技術は開示されておらず、それを示唆する記載もない。
【０００６】
本発明は、上記課題を解決するためになされたものであり、電池電圧に応じて送信パワー出力を制御できる携帯電話機、送信パワー出力制御方法及びプログラムを提供することを目的とする。
【０００７】
【課題を解決するための手段】
本発明の携帯電話機は、電源用の電池と、所定の送信パワーを生成し送信出力する送信部と、送信パワーレベル毎に規格化された送信パワー許容範囲内において、前記電池から供給される電池電圧に応じた所望の送信パワーを前記送信部から出力するように制御する制御部とを有することを特徴とするものである。
【０００８】
前記制御部は、前記電池から供給される電池電圧を検出する電池電圧検出部と、前記電池電圧検出部によって検出された電池電圧に応じた所望の送信パワーを設定するための基準電圧を出力する送信パワー設定基準電圧発生部と、前記送信部から出力している送信パワーを検出し、その検出結果に基づいて、前記送信パワー設定基準電圧発生部から出力された基準電圧に応じた所望の送信パワーを出力するように前記送信部を制御する送信パワー制御部とを有してもよい。
【０００９】
前記送信パワー制御部は、前記送信部に制御電圧を供給することにより、前記送信部から出力される送信パワーを制御してもよい。
【００１０】
電池電圧に応じた所望の送信パワーの特性を記憶する記憶部を有し、前記送信パワー設定基準電圧発生部は、前記記憶部から電池電圧に応じた所望の送信パワーを読み出して基準電圧を出力してもよい。
【００１１】
前記記憶部に記憶されている電池電圧に応じた所望の送信パワーの特性は、電池電圧が減少するに従って所望の送信パワーが減少するものであってもよい。
【００１２】
電池電圧と所望の送信パワーとが比例関係にあってもよい。
【００１３】
本発明の送信パワー出力制御方法は、電源用の電池と、所定の送信パワーを生成し送信出力する送信部とを有する携帯電話機の送信パワー出力制御方法であって、送信パワーレベル毎に規格化された送信パワー許容範囲内において、前記電池から供給される電池電圧に応じた所望の送信パワーを前記送信部から出力するように制御することを特徴とするものである。
【００１４】
前記電池から供給される電池電圧を検出するステップと、
前記検出された電池電圧に応じた所望の送信パワーを設定するための基準電圧を出力するステップと、
前記送信部から出力している送信パワーを検出し、その検出結果に基づいて、前記出力された基準電圧に応じた所望の送信パワーを出力するように前記送信部を制御するステップと、
を有してもよい。
【００１５】
本発明のプログラムは、電源用の電池と、所定の送信パワーを生成し送信出力する送信部とを有する携帯電話機を制御するプログラムであって、送信パワーレベル毎に規格化された送信パワー許容範囲内において、前記電池から供給される電池電圧に応じた所望の送信パワーを前記送信部から出力するように制御する処理を、コンピュータに実行させることを特徴とするものである。
【００１６】
本発明のプログラムは又、前記電池から供給される電池電圧を検出する処理と、前記検出された電池電圧に応じた所望の送信パワーを設定するための基準電圧を出力する処理と、前記送信部から出力している送信パワーを検出し、その検出結果に基づいて、前記出力された基準電圧に応じた所望の送信パワーを出力するように前記送信部を制御する処理とをコンピュータに実行させるものでもよい。
【００１７】
本発明によれば、電池電圧に応じて送信部から出力される送信パワーを制御する。
【００１８】
【発明の実施の形態】
以下、本発明の実施の形態について図面を参照して説明する。図１は、本発明の第１の実施の形態に係る携帯電話機の構成を示すブロック図である。
【００１９】
図１に示すように、本発明の第１の実施の形態に係る携帯電話機は、電源用の電池１と、無線部２と、制御部３とを有する。
【００２０】
電池１は充電可能なバッテリや乾電池などであり、携帯電話機の各部位に対して電力を供給する。
【００２１】
無線部２は、基地局（図示せず）からの信号をアンテナ４を介して受信する受信部５と、所定の送信パワーを生成して送信信号を出力し、アンテナ４を介して送信する送信部６とを有する。
【００２２】
制御部３は、送信パワーレベル毎に規格化された送信パワー許容範囲内において、電池１から供給される電池電圧に応じた所望の送信パワーを送信部６から出力するように制御する。
【００２３】
制御部３は、電池１から供給される電池電圧を検出する電池電圧検出部７と、電池電圧検出部７によって検出された電池電圧に応じた所望の送信パワーを設定するための基準電圧を出力する送信パワー設定基準電圧発生部８と、送信部６から出力している送信パワーを検出し、その検出結果に基づいて、送信パワー設定基準電圧発生部８から出力された基準電圧に応じた所望の送信パワーを出力するように送信部６を制御するＡＬＣ（Ａｕｔｏ　Ｌｅｖｅｌ　Ｃｏｎｔｒｏｌ）部９（送信パワー制御部）とを有する。
【００２４】
また、この携帯電話機は、電池電圧に応じた所望の送信パワーの特性を記憶する記憶部１０（メモリ）を有する。送信パワー設定基準電圧発生部８は、記憶部１０から電池電圧に応じた所望の送信パワーを読み出して基準電圧を出力する。
【００２５】
送信パワー設定基準電圧発生部８、ＡＬＣ部９及び送信部６で構成される回路は、一般的な自動送信パワー制御回路で、送信パワー設定基準電圧発生部８は送信パワー設定基準電圧（信号Ｃ）をＡＬＣ部９に伝える。ＡＬＣ部９は、送信パワー設定基準電圧（信号Ｃ）と無線部２内の送信部６から送信パワーを検出した電圧（信号Ａ）を受け取り、信号Ｃと比較し、信号Ａが信号Ｃと同一の電圧になるように、送信部６にアナログ制御電圧（信号Ｂ）を供給し、この信号Ｂの大小に応じて送信部６で生成される送信パワーの大小を決めている。
【００２６】
また、上記構成において、制御部３内の電池電圧検出部７は電池１の電池電圧を検出し、電池電圧に比例したデジタル信号Ｄを送信パワー設定基準電圧発生部８に送る。送信パワー設定基準電圧発生部８は信号Ｄを受け取り、あらかじめ設定してあった信号Ｃに対し、信号Ｄに応じて算出（例えば加算又は減算など）した信号Ｃに変換し、再出力するように構成してある。
【００２７】
図２は、本発明の第１の実施の形態に係る携帯電話機の動作を説明するためのフローチャートである。
【００２８】
まず、携帯電話機の電源をＯＮにすると（ステップＳ１）、送信パワー設定基準電圧発生部８は、基準電池電圧で調整された信号Ｃを出力する（ステップＳ２）。ここでは、基準電池電圧値を４．２Ｖとして信号Ｃを出力する。
【００２９】
信号Ｃと送信パワーの関係は図３に示すような特性になっている。信号Ｃはアナログ電圧であるが、図３では回路内電圧を８ビットのレジスタで分割した２５６ステップ幅で表現してある。携帯電話機の送信パワー設定は、中央値２９ｄＢｍ、最大２９．８ｄＢｍ、最小２６ｄＢｍと定められており、通常２９ｄＢｍに設定する。よって、信号Ｃは図３のグラフより１８８となる。
【００３０】
次いで、ＡＬＣ部９が動作を開始し（ステップＳ３）、送信部６は送信出力する（ステップＳ４）。
【００３１】
次いで、電池１から供給される電池電圧を電池電圧検出部７で検出し（ステップＳ５）、電池電圧検出部７から出力された信号Ｄが送信パワー設定基準電圧発生部８に入力される（ステップＳ６）。このとき、信号Ｄによって電池電圧が伝達されると、図４に示す特性になるように送信パワー設定基準電圧発生部８は、信号Ｃを再生成し（ステップＳ７）、再生成した信号Ｃは、ＡＬＣ部９に入力される（ステップＳ８）。
【００３２】
ここで、図４に示す電池電圧に対する送信パワー（ＰＯＷ）の特性は、設計者が自由に設定できる。図４の例では、電池電圧が減少するに従って所望の送信パワーが減少し、かつ電池電圧と所望の送信パワーとが比例関係になるように設定されている。例えば、図４において、３．６Ｖ時、２７ｄＢｍを出力するためには、図３から２７ｄＢｍ時の信号Ｃを読み取り、１５５を再生成して伝達する。
【００３３】
この処理においては、図３の特性と、図４の設定が記憶部１０に記憶されており、送信パワー設定基準電圧発生部８７は、記憶部１０に記憶された特性を参照して信号Ｃを生成する。この動作は電源を落とさない限り、（ステップＳ５）〜（ステップＳ９）を繰り返す。電源をＯＦＦすると終了する（ステップＳ１０）。
【００３４】
図５は、送信パワー（ＰＯＷ）に対する通話電流特性を示すグラフである。図５に示すように、送信パワー中央値である２９ｄＢｍ設定時の電流は２６０ｍＡ、一方、最小設定値である２６ｄＢｍ設定時の電流は１９５ｍＡであり、同じ送信パワー許容範囲内での送信パワーの差が通話電流に大きな影響を及ぼす。つまり、通話時間に影響することになる。
【００３５】
図６は、電池１の放電カーブを示すグラフである。図６の点線で示すカーブａは、送信パワー中央値２９ｄＢｍで出力した場合（定常的に２６０ｍＡ放電した場合）の放電カーブで、通話時間は１３５分となる。図６の実線で示すカーブｂは、本発明の実施形態例のように電池電圧によって送信パワーを調整する制御を行った場合（電圧４．２Ｖ時２９ｄＢｍ〜電圧３．３Ｖ時２６ｄＢｍに制御される場合）の放電カーブで、通話時間は１３５分を大きく上回ることが分かる。
【００３６】
本発明の第１の実施形態例によれば、電池電圧に応じて送信パワーを制御するので、通話時間を大幅に長くすることができる。
【００３７】
図７は本発明の第２の実施の形態を説明するためのブロック図である。図７に示すように、本発明の第２の実施の形態は、第１の実施の形態で説明された制御部３の動作をコンピュータに実行させるためのプログラム１１に関する。このプログラム１１は、磁気ディスク、ＣＤ−ＲＯＭ等の光ディスク、半導体メモリ等の記録媒体に記録されていてもよく、通信ネットワークを介してダウンロードされるものでもよい。
【００３８】
本発明は、上記実施の形態に限定されることはなく、特許請求の範囲に記載された技術的事項の範囲内において、種々の変更が可能である。
【００３９】
【発明の効果】
本発明によれば、電池電圧に応じて送信パワーを制御するので、通話時間を大幅に長くすることができる。
【図面の簡単な説明】
【図１】本発明の第１の実施の形態に係る携帯電話機の構成を示すブロック図である。
【図２】本発明の第１の実施の形態に係る携帯電話機の動作を説明するためのフローチャートである。
【図３】信号Ｃと送信パワー（ＰＯＷ）との関係を示すグラフである。
【図４】電池電圧に対する送信パワー（ＰＯＷ）の特性を示すグラフである。
【図５】送信パワー（ＰＯＷ）に対する通話電流特性を示すグラフである。
【図６】電池の放電カーブを示すグラフである。
【図７】本発明の第２の実施の形態を説明するためのブロック図である。
【符号の説明】
１：電池
２：無線部
３：制御部
４：アンテナ
５：受信部
６：送信部
７：電池電圧検出部
８：送信パワー設定基準電圧発生部
９：ＡＬＣ部
１０：記憶部
１１：プログラム
【図１】
2004056399.tif 000003
【図２】
2004056399.tif 000004
【図３】
2004056399.tif 000005
【図４】
2004056399.tif 000006
【図５】
2004056399.tif 000007
【図６】
2004056399.tif 000008
【図７】
2004056399.tif 000009